(57)【要約】【課題】ロールペーパーから引き出したペーパーを簡単に切断できるようにする。【解決手段】ロールペーパーケース1本体前面から後部に傾斜するロールペーパー乗せ台2を設け、ロールペーパーケース1本体前面にシャッターレールガイド16に導かれロールペーパー10を切断する為の上下動するシャッター4を配置する。引き出したロールペーパー10をロールペーパーケース1本体下端部のシャッター受け11とシャッター4で挟み切断する。アウター27内を通るワイヤー13を足踏みペダル26に接続し、シャッター4を下降させロールペーパー10を切断できるように構成する。切断後ロールペーパー切り口12をロールペーパーケース1本体の前面へ押し出しペーパー切り口12を取りやすくするペーパーガイド8を設ける。【選択図】図10
2014104031.tif 000002
【特許請求の範囲】
【請求項１】
ロールペーパーケースと、このロールペーパーケース内に設けられたロールペーパー支持部と、このロールペーパーケースの前面開口の上側を閉塞するシャッターと、このシャッターの下側を通過して前記ロールペーパーケースから外側に延びるペーパーガイドと、を有し、前記ロールペーパー支持部に支えられているロールペーパーから繰り出されたペーパーを前記ペーパーガイド上に乗せて外側に導くように構成され、ケースの下端部とでペ
ーパーを挟むまで前記シャッターを下降させると、このシャッターに押されてペーパーガイドが下側に揺動し、前記シャッターの下側に移動するようになっており、前記シャッタ
ーと前記ケースの下端部とで挟まれたペーパー を切断し、前記シャッターが上昇すると前記ペーパーガイドがペーパー を伴って前記シャッターの下側まで上方に揺動して戻るように構成されていることを特徴としているロールペーパーホルダー 
【請求項２】
前記シャッターと前記ロールペーパーケースの上端部の間にはスプリングが設けられていて、前記シャッターはこのスプリングのバネカに抗して下降させる事ができ、前記シャッターから手を離すと、前記スプリングのバネカによって前記シャッターが自動的に上昇する事を特徴とする請求項1記載のロールペーパーホルダー 
【請求項３】
前記シャッターは両側がシャッターレールガイドの中をスライドすることを特徴とする請求項1又は2記載のロールペーパーホルダー 
【請求項４】
前記ロールペーパーケースに設けたペーパー ガイドの基部は、ペーパーガイドの先端が前記シャッターの下側に位置するようにバネで付勢されていて前記シャッターに押されると前記バネカに抗して下側に揺動し、前記シャッターが上昇すると、前記ペーパーガイドは前記バネカにより上側に揺導することを特徴とする請求項1、2又は3記載のロールペーパ ーホルダー 
【請求項５】
前記シャッターをワイヤーで足踏みペダルに接続し、足踏みペダルを操作する事により足踏みペダルを踏み前記シャッターを下降させるように構成されていることを特徴とする請求項1、2、3又は4記載のロールペーパーホルダー 
【請求項６】
前記ロールペーパー支持部は、前記ロールペーパーケースの後面部から前方に向かって上昇するように設けられたロールペーパー乗せ台を有し、ロールペーパーは、このペーパー 乗せ台に乗せられ前記ロールペーパーケースの後面部に当接するように配置されていて、 かつ、ペーパー引き出し時に、前記ロールペーパーケースの後面部に押しつけられる方向 に回転するように乗せられている、ことを特徴とする請求項1、2、3、4又は5記載のロー 
ルペ−パーホルダー 
【発明の詳細な説明】
【技術分野】
【０００１】
本発明はトイレットペーパー使用時に切り離した残りのトイレットペーパーの切り口がトイレットペーパーにくっつき取りにくくなることを防止するロールペーパーホルダーに関する。
【背景技術】
【０００２】
従来はペーパーを取りやすくする為電動式の仕掛けの物が考えられている(特許文献1,2参照)。
【先行技術文献】
【特許文献】
【０００３】
【特許文献１】実開平3−48588公報
【特許文献２】実開平6−77685公報
【発明の概要】
【発明が解決しようとする課題】
【０００４】
特許文献1や2に記載されているものはペーパーを取りだす為、電気、電池を使用、構造的に複雑でコストが高くなる。電気又は電池が切れた場合、手動でペーパーを引き出す事ができない。また、ペーパー切り口が従来の物と変わらず切歯一線上で切れている為不便さが生じる。
【課題を解決するための手段】
【０００５】
前記の課題を解決する為の本発明に係わるロールペーパーホルダーは次のような手段を採用する。
【０００６】
請求項1をより具体的に説明すると、立方体のロールペーパーケースの内部に後部下側へ向かって傾斜するロールペーパー支持部が設けられている。ロールペーパー支持部にロールペーパーを後方下側へと向かって回転する向きに乗せる。ここでは、ロールペーパーを引き出す時、前方へ転がる事を防ぐ傾斜となっている。ペーパー引き出し口は上昇時のシャッター下端とロールペーパー乗せ台との間に位置し、ロールペーパー支持部の先端部の高さとなっている。シャッターは上部両側をスプリングでペーパーホルダーケースの上端部に組み付けられ通常は上昇している。シャッターは例えばシャッターレールに誘導される、シャッターレールは上端部から下端部へとロールペーパーケース両側壁へ組みつけられ、シャッターの上下の動きを誘導する。引き出し口から引き出したロールペーパーをシャッターで押し下げシャッター下部に設けられているペーパーガイドと共にロールペーパーを下端部へと押し下げる。ペーパーガイドはシャッター下部に設けられ、回転軸と押し出し板によって構成されている。このペーパーガイドは左右両側に延びるペーパーガイド軸を有しペーパーガイド軸はロールペーパーケース両側壁に回転出来るように取り付けられ、ペーパーガイド軸には押し出し板とスプリングの一端が取り付けられ押し出し板が常時水平になるように付勢され、シャッターよりも前方へ突き出している。ロールペーパーをシャッターとペーパーガイドの間から引き出し、ペーパーガイド上にあるロールペーパーをシャッターで押し下げ、ペーパーガイドのみ下側へと回転させ、ロールペーパーはそのまま下端部へと押し下げられ、シャッターと下端部にあるシャッター受けで挟まれ切断される。ペーパー切り口はペーパーガイドから下端部の間までの押し下げられた長さが残りシャッターはバネ力によって上昇する。それに共なってシャッターに押されていたペーパーガイドはバネ力で水平に戻り、残っていたペーパー切り口を前方へ押し出すロールペーパーケースである。
【０００７】
請求項2をより具体的に説明すると、前記シャッターは四角の板状になっており上部には手掛けが具備され、前記シャッターの両角とロールペーパーケースの上端部との間にスプリングが組み付けられている。引き出したロールペーパーを前記シャッターの手掛けを押しロールペーパーケースの下端部のシャッター受けで挟み切断する。手を離すとスプリングのバネ力によって自動的に上昇するロールペーパーケースである。
【０００８】
請求項3をより具体的に説明すると、ロールペーパーケース前面両壁に前記シャッターを上端部から下端部へ導くコの字型のシャッターレールを具備し、前記シャッターの板状の両側を挟み上昇下降させるロールペーパーケースである。又前記シャッターの上部からのスプリングはシャッターレールの中を通りシャッターの上端部と接続している。
【０００９】
請求項4をより具体的に説明すると、ペーパーガイドは、ペーパー押し出し板と、この押し出し板に固定された回転体と、この回転体に取り付けられたスプリングと、を備えている。回転体は、ロールペーパーケースの両側壁に回転可能に組み付けられている。スプリングは回転体を付勢し、押し出し板を上方に回転するように付勢している。押し出し板は回転体に組み付けたスプリングの組み付け位置によって、シャッターの下部に常時水平に突き出すように保たれている。シャッターとペーパーガイドの間のペーパー引き出し口からペーパーガイドを覆うようにロールペーパーを引き出し、上昇しているシャッターを下降させると、下降と同時にシャッターの下部に突き出している押し出し板と共にペーパーを下部へ押し下げる。押し出し板はシャッターに押されてロールペーパーケース内側へ回転し、ペーパーのみ下端部へ押し下げられ、下端部のシャッター受けでシャッターに押され挟まれて切断される。その後、シャッターを上昇させると、シャッターで押され内側へ回転していた押し出し板がスプリングの力で水平に戻る。この時、引き出されたロールペーパーのペーパー切り口は押し出し板の先端から垂れ下っていて、次の使用時にロールペーパーの先端をつかみやすくなっている。
【００１０】
請求項5をより具体的に説明すると、ロールペーパーケースの下にアウターワイヤーでつながれた足踏ペダルを具備し、ペダルを踏む事により前記シャッターを足でも下降出来るようになっている。足踏ペダルは底板と踏板、さらに踏みしろ台で構成されており前記シャッターとペダルをアウターワイヤーで接続、ペダルを踏むことにより前記シャッターを下降させペーパーを切断することが出来る。前記シャッターの下端部にワイヤーを組み付け、ワイヤーはシャッターレールの中を通りロールペーパーケースの下端部へと延びる。下端部に穴を開けワイヤーを外に出す。出したワイヤーはアウターの中を通り足踏ペダルの上部にある上部板へとアウターを通しアウター受けで受け、ワイヤーはアウターの中を通り足踏ペダルの足踏み板へと接続する。足踏み板は底板と蝶番で組み付け車のアクセルペダルのような動きをする。前記シャッターが常時スプリングで上昇しているように足踏ペダルの足踏み板もワイヤーでつながれているので上昇している。ワイヤーのたるみをなくす為、スプリングとアウターの下部にあるアウター受で受け上部にある調整ボルトでワイヤーのたるみを調整してなくす。ロールペーパーを引き出しペダルを踏み、ワイヤーでつながれている前記シャッターを下端部まで下げペーパーをシャッター受けで挟み切断する。ペダルを離すと前記シャッターと足踏み板はスプリングの力で上昇するので、片手片足でもペーパーを切断することができるロールペーパーケースである。
【００１１】
請求項6をより具体的に説明するとロールペーパーの中心軸を必要としないロールペーパーケースが提供される。中心軸の替わりにペーパー乗せ台(支持部)を有し、ロールペーパーケースの上部全体が蓋になっており、ロールペーパーの交換がしやすく、すなわち蓋を開け上部からロールペーパーをペーパー乗せ台に乗せる。ペーパー乗せ台は前記シャッターの下端部とペーパー押し出し板と間に位置しており、ロールペーパーを引き出す時、前面へ転がらないように後部へと傾斜し回転しやすく滑りやすい板になっている。ロールペーパーを引き出す時に、ペーパー切り口を下側から引き出すようにロールペーパーをペーパー乗せ台に乗せる。ペーパー切り口を前記シャッターとペーパー押し出し板との間から前面へ引き出しセット完了となる。中心軸のないロールペーパーケースが提供される。
【発明の効果】
【００１２】
本発明に係わるロールペーパーケースは例えば立方体の形をしており構造に特徴がある。ロールペーパーケース内部にペーパー支持部、シャッター、ペーパーガイドを有し、上昇時のシャッターの先端に位置するペーパー引き出し口から引き出したロールペーパーをシャッターを押し下げ下降させ、シャッターとシャッター受けで切断する。切断後、シャッターはスプリングの力で上昇、ペーパー引き出し口からシャッター受けまで伸びたペーパー切り口はペーパーガイドに押されペーパー引き出し口から前側に垂れ下り次の使用時ペーパーをつかみやすくなっている。
【００１３】
請求項2としてシャッターはスプリングにより常時上昇しているが、バネ力に抗して下降させる事が出来る。シャッターの上部に手掛けが付いており、手掛けを押すことによりシャッターを下降させやすくなっている。シャッターがスライドしやすいようにシャッターはシャッターガイドに挟まれ上昇、下降する。ロールペーパーをペーパー引き出し口から引き出し、シャッターの下に突き出しているペーパーガイドの上を覆い必要とする長さを引き出す。シャッターを下降させ押し出し板のみ内側へと回転させて押しこみ、引き出したペーパーを下端部のシャッター受けまで押し延ばし挟み、ペーパーを手でつかみ切断する。手を離すとシャッターはバネ力により自動的に上昇する、シャッターに押し延ばされ切断されたペーパー切り口は、ペーパー引き出し口から下端部までの間の長さを残し、シャッターに押され内部に回転していた押し出し板によってペーパーケースの前面へと押し出され、次の使用時ペーパーをつかみやすくなっている。
【００１４】
請求項3としてシャッターレールガイドはロールペーパーケース上部からシャッター受けまで両側壁に組み付けられている。シャッターの上昇下降は、シャッターレールガイドの中をスライドするので動きがスムーズになるようになっている。シャッターの上部両側とシャッターレールガイドの上部先端とをスプリングでつながれシャッターは吊るされている。スプリングはシャッターレールガイドの中に納まり、外部から見えなくなっている。シャッターはシャッターレールガイドによって上部から下端部へと導かれ引き出されたロールペーパーをシャッター受けまで押し下げ挟むことができる。
【００１５】
請求項4としてペーパーガイドはバネ力により通常は水平になるように上側に回転しシャッターの先端部に位置し突き出した状態となっている。ペーパーガイドの先端はシャッターの下降する位置より前面へ突き出している。引き出されたロールペーパーはペーパーガイドの上面を覆いペーパーガイドの先端より下端部まで必要分引き出し、垂れ下っている。シャッターを下降させるとペーパーガイドはシャッターに押されて内側へと回転する。従って、ロールペーパーのみシャッター受けまで押され挟まれて切断される。ペーパーガイドを覆い引き出された残ったロールペーパーはシャッター上昇後、シャッターによって内側へ押されていたペーパーガイドにより押し出される。すなわち、バネ力で水平に戻るまで上方向に回転するペーパーガイドの先端に持ち上げられペーパー切り口は前面へ押し出され垂れ下げられる。次にロールペーパーを使用するときペーパー切り口をつかみやすくなる。
【００１６】
請求項5では、トイレにロールペーパーケースを備え付け、その下にアウターワイヤーでつないだ床置きの足踏みペダルを設けている。ここでは、手でも足でもシャッターを下降上昇できる仕組みになっている。通常はシャッターを手で押し下げ、ロールペーパーをシャッターと下側のシャッター受けで挟み、片手でペーパーをつかみ切断するが、足踏ペダルはシャッターの下端部とアウターワイヤーで接続されているので、シャッターを手で押す代わりに、足で足踏みペダルを踏むことにより、シャッターを下降出来る仕組みになっている。引き出し口からペーパーを引き出し、足踏みペダルを踏み、シャッターを下降させ、引き出したペーパーをシャッター受けで挟み、片手でロールペーパーをつかみ切り取る。ペダルから足を離すとシャッターはスプリングの力で上昇する。シャッターにワイヤーでつながれているペダルは上昇するシャッターに引かれ上部へ戻り、片手片足でロールペーパーを切断する事ができる。
【００１７】
請求項6ではロールペーパーケースの中心軸を回転可能に支えるといった支持構造を利用しないでロールペーパーを支えることが可能となる、すなわち、ロールペーパーがロールペーパーケースの後面部に寄りかかるように、ペーパー乗せ台は後部へ傾斜しており、ペーパーをロールペーパーの下側から引き出されるようにペーパー乗せ台に乗せることにより、ペーパーを引き出しても、ロールペーパーがペーパー乗せ台から脱落することがない。ペーパー引き出し回転時、ロールペーパーがロールペーパーケースの後面部に押しつけられるように後側へ転がり、前面に転がらない構造となっている。また、ロールペーパーの入替時、中心軸を入れたり出したりすることは必要なく、入れ替えが簡単にできる。
【００１８】
本発明は切断後のロールペーパー切り口をロールペーパーケースの前面へ突き出し、取りやすく残るようになっていること、ロールペーパー切断の為、両手を使わず片手片足でも操作出来る事を特徴とするロールペーパーホルダーに関する。
【図面の簡単な説明】
【００１９】
【図１】本発明に係わるロールペーパーケース本体の側面図である。
【図２】本発明に係わるロールペーパーケース本体とスプリングでつながれたシャッター取り付け部の拡大図である。
【図３】本発明に係わるロールペーパーケース本体の下部に設けたペーパーガイドの全体を示す拡大図である。
【図４】本発明に係わるロールペーパーケース本体内部に備えた傾斜しているペーパー乗せ台の側面図であり、ロールペーパー交換時、上部の蓋を開けた状態を示す図である。
【図５】本発明に係わるロールペーパーケース本体前面に設けたシャッターとシャッターレールガイドを示す正面図である。
【図６】本発明に係わるロールペーパーケース本体のシャッターとレールガイドの正面上部の拡大図であり、シャッターから足踏みペダルにつながるワイヤーを示す図である。
【図７】本発明に係わるロールペーパーケース本体前面に設けたシャッターとシャッターレールガイドを示す上面図である。
【図８】本発明に係わるロールペーパーケース本体に備えたシャッターの側面図であり、シャッターを下降させペーパーガイドが内側へ押されペーパーを切断する状態を示す図である。
【図９】本発明に係わるロールペーパーケース本体にアウターワイヤーで接続され足でシャッターを下降させる足踏みペダルの図である。
【図１０】本発明に係わるロールペーパーケース本体とアウターワイヤーで接続された足踏みペダルの全体図である。
【発明を実施するための形態】
【００２０】
図1は本発明に係るスライド式のシャッターを備えたロールペーパーケースの側面図である。図1のロールペーパーケース1は、後方に向かって下側に傾斜したロールペーパー乗せ台2(支持部)と、シャッタースプリング3で吊るされた上下動するシャッター4を具備し、シャッター4の上部には手掛け5が設けられて下側に押しやすくなっている。シャッター4の下側にはロールペーパー引き出し口6が形成されている。ロールペーパーケース1はさらに、ペーパーガイドスプリング7に引っ張られて揺動する押し出し板9を有するペーパーガイド8を備え、ペーパー引き出し口6から前面へ突き出している押し出し板9の上を覆うようにロールペーパー10からペーパー12を引き出す。そして、シャッター4を下降させ、シャッター4の下端部とロールペーパーケース1の下端部に設けたシャッター受け11とで引き出したペーパー12を挟んで切断する。切断後には、シャッター4は自動的にシャッタースプリング3の力で上昇する。ペーパー引き出し口6からシャッター受け11までの長さは大きいので、押し出し板9が水平に戻った時に、ペーパー12は押し出し板9の先端から垂れ下る。シャッター4に押され下方内側へ回転していた押し出し板9は、ペーパーガイドスプリング7の力で水平位置まで上昇し、残ったペーパー切り口12をロールペーパーケース1の前面へ押し出すので、次に使用する時ペーパー切り口があるので取りやすい。
【００２１】
図2はシャッターレールガイドに挟まれ上下動するシャッターの詳細を示す側面図である。シャッター4の上端部の両端に取り付け孔を開けておき、ワイヤー13の先端を表面側から取り付け孔に通し、ワイヤー13の後端部の受け止め部14が取り付け孔に引っ掛かるようにする。そして、ワイヤー受け止め部14を押さえるようにシャッター手掛け部5 をシャッター4 の表面に手掛け取り付けネジ15 で固定する。ワイヤー13はシャッター4とシャッターレールガイド16の間に沿ってロールペーパーケース1の下端部を通り、外部の足踏みペダルへと延びて接続されている。
【００２２】
又、シャッター4の上部両端部にシャッタースプリング3の下部を組み付ける。シャッタースプリング3の上端部は、ロールペーパーケース1上部にシャッターレールガイド16を組み付けるシャッターレールガイド止めネジ17に固定され、シャッター4はシャッタースプリング3 によって吊るされている。シャッター手掛け5を押しシャッター4を押し下げるとシャッター4はシャッターレールガイド16に導かれスムーズに下降する。シャッター4に引かれシャッタースプリング3が伸びシャッター4はシャッター受け11まで下降する。シャッター4はシャッター受け11まで下降すると、このシャッター受け11との間にペーパーを挟み切断して、手を離すと自動的にシャッタースプリング3によって上部へ引き戻される構造となっている。
【００２３】
図3はペーパー切断後のペーパー切り口12をロールペーパーケース1の前面へ押し出すペーパーガイド8全体の拡大図である。押し出し板9は、シャッター4よりも前側に突き出して位置し、上部から下降してくるシャッター4の下端部に押されて下側に回転する。ペーパーガイド軸18は円柱形をしており、両端をペーパーケースの両側壁にペーパーガイド軸支点19を中心に回転できるようにネジで止められ、ペーパーガイドスプリング7はロールペーパー乗せ台2の下側に組み付けられている。押し出し板9はペーパーガイド軸19の上部に押し出し板取り付けネジ20で固定されている。ペーパーガイド軸18の下部に、ペーパーガイドスプリング7をスプリングネジ21で組み付け、ペーパーガイドスプリング7の下端をロールペーパーケース1の底部に組みつける。ペーパーガイド押し出し板9が常時水平になるようにペーパーガイドスプリング7は調整固定され、押し出し板9はペーパーガイド軸支点19を中心に内側に傾斜揺動する仕組みになっている。
【００２４】
ペーパー切断時シャッター4を下降させペーパー切り口12と押し出し板9を同時に下側へと押し下げ、押し出し板9は内側へと回転傾斜し、ペーパー切り口12のみ下端部のシャッター受け11まで押し下げられ挟まれ切断する。その時ペーパーガイド軸18に組み付けたペーパーガイドスプリング7が延びペーパー切断後シャッター4から手を離すとシャッター4はシャッタースプリング3に自動的に引き上げられ、シャッター4に押され内側へ傾斜していた押し出し板9は延びたペーパーガイドスプリング7によって自動的に水平に引き戻され、ペーパー引き出し口6からシャッター4にシャッター受け11まで押し延ばされ切断され残ったペーパー切り口12をロールペーパーケース1の前面へと押し出し取りやすくする。
【００２５】
図4は、ロールペーパーケース1内部に備えた傾斜しているロールペーパー乗せ台2とロールペーパー10の簡単な入替え方を説明する図であり、上部の蓋22を開けた状態を示す図である。ロールペーパーケース1の上部全面を蓋22 としこの蓋22を、23を支点に上方に回転させて開くことができるように構成しておく。ロールペーパー乗せ台2の先端は、上昇しているシャッター4の下端よりも上方に位置し、ロールペーパー乗せ台2は後方に向かって下降傾斜している。蓋22を開き、ペーパー引き出し時にロールペーパー10 からペーパーが引き出されるようにロールペーパー10をロールペーパー乗せ台2に載せる。ペーパー切り口12を引き出した時ロールペーパー10が前面へ転がることを防ぐ為、ロールペーパー乗せ台2は後部へ下降傾斜しており、ロールペーパー10の回転方向が後部へ転がるようにロールペーパー10を載せる。ペーパー切り口を持ち押し出し板9を下部へ押しながらペーパー切り口12をペーパー引き出し口6から引き出すことでロールペーパー10の入れ替えが完了となる。
【００２６】
図5は本発明に係るロールペーパーケース1の正面に設けたシャッター4と上部蓋面から下端部のシャッター受け11までの両側壁に設置したシャッターレールガイド16の正面図である。ロールペーパーケース本体1の両側壁にシャッターレールガイド16を具備し、このレールガイド16の上部はシャッターレールガイド受け板24にシャッターレールガイド止めネジ17で固定され、下部はシャッター受け11まで延びていて、ロールペーパーケース1の側壁に接着剤で張り付けられ、シャッター受け11で挟み固定してある。シャッターレールガイド16の凹型の溝によってシャッター4の両端部を収用し挟み、シャッター4の上下動をスムーズに導くような構造になっている。シャッター4上部の手掛け5横に穴を開けシャッタースプリング3の先端を巻き付けシャッタースプリング3の上部はシャッターレールガイド止めネジ25に巻き付けシャッター4は上下動出来るように吊るされている。ペーパー切断後自動的にシャッター4が上部に戻りやすくなるようにシャッターレールガイド16の凹型の中にシャッタースプリング3は入っている。又正面からは見えない。シャッター4の上部にペーパー切断時シャッター4を押しやすく下降出来るようにシャッター手掛け5を具備し、シャッター4の下端部にはペーパー引き出し口6があり、さらにその下にはペーパーガイド8の押し出し板9を水平に保つペーパーガイドスプリグ7がペーパーガイド軸18の下に配置され切断後のペーパー切り口12を押し出し取りやすくする為の構造となっている。
【００２７】
図6はロールペーパーケース1前面に取り付けたシャッター4とシャッターレールガイド16の正面上部の拡大図でありシャッター4と足踏みペダル26をつなぐワイヤー13を示す図である。ロールペーパーケース1前面の下部から上部にかけて両側壁に組み付けられたシャッターレールガイド16はロールペーパーケース1上部の両側壁に固定したシャッターレールガイド受け板24に上部を掛かけるようにしっかりとシャッターレールガイド止めネジ17で固定されている。シャッターレールガイド16はシャッター4の上下動の動きをよくする。シャッター4の上部にはシャッター4を押して下降しやすくするシャッター手掛け5が設けられ、シャッター4はシャッターレールガイド16に収用され挟まれている。シャッター手掛け5はシャッターレールガイド16の間隔とほぼ等しい幅を有し、シャッター4が斜めに下降するのを防ぐ仕組みになっている。足踏みペダル26につながるワイヤー13は、シャッター手掛け5とシャッター4との間で先端部が挟み固定され、ロールペーパーケース1の下端部まで引かれたワイヤー13はシャッターレールガイド16とシャッター4の間に入りシャッター4の下降時はシャッター4と同時に下降するようになっている。
【００２８】
図7はロールペーパーケース1前面に備えたシャッター4とペーパーガイド8、ロールペーパー10の位置関係を示す上面図である。又ペーパーのセットの仕方を説明している。ロールペーパーケース1の前面両側壁に設置したシャッターレールガイド16はシャッター4の両サイドを収用して挟み、シャッター4の上昇下降を支持し、シャッターレールガイド16の中に設置したシャッタースプリング3でシャッター4の上部両端部を吊るす。シャッタースプリング3の上部はシャッターレールガイド16の上部シャッターレールガイド止めネジ17に接続している。シャッタースプリング3はシャッターレールガイド16の中で伸縮し外部から見えない位置になっている。ペーパーを引き出しシャッター手掛け5を押すと、シャッター4はシャッターレールガイド16の中を滑り、引き出したペーパーとロールペーパーケース1の前面に突き出している押し出し板9を押し下げシャッター受け11まで下降してペーパーを切断する。ロールペーパー10を入れ替えセットするときは、ロールペーパー10からペーパーを引き出し、このペーパーの切り口を、押し出し板9の前側を通り、シャッター4と押し出し板９の間のペーパー引き出し口6 から垂らし、セット完了となる。    
【００２９】
図8 はロールペーパーケース1内部に設けたシャッター4の下降時とシャッター4に押され内側に回転しているペーパーガイド8を示す為の側面図である。図8のシャッター4は引き出したペーパー切り口12と押し出し板9を一緒に押しながら下降し押し出し板9のみ内側へと押しこみペーパー切り口12をシャッター受け11まで押し下げ挟んで切断している図である。上昇時のシャッター4の下端部にはペーパーガイド軸18と押し出し板9、ペーパーガイドスプリング７で構成されているペーパーガイド8を設け、ロールペーパーケース1の両側壁にペーパーガイド軸支点19を芯にペーパーガイド軸18を組み付け揺動する仕組みになっている。ペーパーガイド軸18にペーパーガイドスプリング7を有し、ペーパーガイド軸18とロールペーパーケース1底にペーパーガイドスプリング7を、スプリングネジ21で上下につながれて常時シャッター4の下端部に水平に突き出すような付勢力をかかえている。シャッター手掛け5を押しシャッター4を下降させシャッター受け11でロールペーパー10を挟み切断後シャッター4はシャッタースプリング3によって自動的に上昇し、シャッター4に内側に押されていた押し出し板9はペーパーガイドスプリング7に抗してペーパー引き出し口6からシャッター受け11まで押し下げられた残ったペーパー切り口12をロールペーパーケース1の前面に押し出し次に使用するときペーパー切り口12が前面に垂れさがりとりやすく残る。
【００３０】
図9 はロールペーパーケース1の下部に、シャッター4を足で操作できる、アウター27を有するワイヤー13でつながれた床置きの足踏みペダル26の立体図である。この足踏みペダル26は車のアクセルペダルを踏むようにしてシャッター4を下降させ引き出したロールペーパー10 を切断出来る仕組みになっている。足踏みペダル26は、底板28 の先端に踏みしろ板29と上部板30を取り付け、足踏み板31の上下動の間隔を作る。底板28の後端部に足踏み板31の後端部を蝶番32で揺動出来るように配置し、ロールペーパーケース1底部から通し出てきたアウター27のワイヤー13の後端部に調整ボルト33でアウター27を受け、その後ろにアウタースプリング34を有し、アウター受け35を足踏みペダル26の上部板30に埋め込みワイヤー13は中を通って足踏み板31の先端に接続しワイヤー止め36で固定する。アウター27の後端部の調整ボルト33でシャッター4から足踏みペダル26までつながれたワイヤー13の張り具合を、調整ボルト33を回すことで強め弱めに調整できる。また足踏み板31の上下動の時アウター27のたるみをアウタースプリング34の力に抗して調整することができ下降時の力を十分伝える事ができる。ロールペーパー10切断時足踏み板31を踏みこみシャッター4を下降させロールペーパーケース1底部のシャッター受け11まで下降させ切断する、足踏み板31から足を離すと、シャッタースプリング3の力に抗してシャッター4は上部へ戻り同時に足踏み板31もシャッター4につながれているワイヤー13に引かれ上部に戻り次の操作に備える仕組みになっている。
【００３１】
図10はロールペーパーケース1本体と足踏みペダル26の側面図の全体図と取り付け方を示す図である。ロールペーパーケース1本体の後部面の上部と下部にロールペーパーケース本体取り付け板37を設けトイレの側壁39にあて上部下部の左右をロールペーパーケース本体取り付けネジ38で固定する。ロールペーパー10交換の時、ロールペーパーケース1本体の蓋22を開けた時、蓋22がトイレの側壁39にあたり蓋22が閉まらないようにロールペーパーケース1本体と側壁39はロールペーパーケース本体取り付け板37で隙間ができておりロールペーパー10交換のとき蓋22は後部へ傾斜して開いたままになっている。ロールペーパーケース1本体の取り付け位置はアウター27ワイヤー13でつながれた足踏みペダル26があるので両方の位置関係を調整して足踏みペダル26を床40に置く。アウター27とワイヤー13の長さの調整でどの位置でも設置ができ足踏みペダル26を組み付けた状態で手でも操作できる仕組みになっている。
【符号の説明】
【００３２】
1 ロールペーパーケース
2 ロールペーパー乗せ台(支持部)          
3シャッタースプリング                 
4シャッター                            
5シャッター手掛け                      
6ペーパー引き出し口                   
7ペーパーガイドスプリング
8ペーパーガイド
9ペーパーガイド押し出し板
10ロールペーパー
11シャッター受け
12ペーパー切り口
13ワイヤー
14ワイヤー受け止め部
15手掛け取り付けネジ
16シャッターレールガイド
17シャッターレールガイド止めネジ
18ペーパーガイド軸
19ペーパーガイド軸支点
20押し出し板取り付けネジ
21スプリングネジ
22蓋
23支点
24シャッターレールガイド受け板
25ペーパーガイド軸止めネジ
26足踏みペダル
27 アウター
28底板
29踏みしろ板
30上部板
31足踏み板
32蝶番
33調整ボルト
34アウタースプリング                                                    
35アウター受け
36ワイヤー止め
37ロールペーパーケース本体取り付け板
38ロールペーパーケース本体取り付けネジ
39側壁
40床  
【図１】
2014104031.tif 000003
【図２】
2014104031.tif 000004
【図３】
2014104031.tif 000005
【図４】
2014104031.tif 000006
【図５】
2014104031.tif 000007
【図６】
2014104031.tif 000008
【図７】
2014104031.tif 000009
【図８】
2014104031.tif 000010
【図９】
2014104031.tif 000011
【図１０】
2014104031.tif 000012